(57)【要約】      （修正有）【課題】電子番組表の表示更新を高速化する。【解決手段】放送受信装置１０は、複数の放送予定番組の情報を含む電子番組ガイド情報が記録される情報記録装置１３と、情報記録装置１３から各放送予定番組の情報を読み出し、放送チャンネルおよび放送時間帯の一方および他方を行方向および列方向として各放送予定番組の情報を表形式に配列して電子番組表を生成し、表示デバイス２００に電子番組表を表示させる電子番組表制御部１６２とを備える。電子番組表制御部１６２が、電子番組表の任意の行または列に関して情報記録装置１３から電子番組表の表示範囲外の放送予定番組の情報を読み出し、電子番組表において行または列をその他の部分とは独立にスクロールさせて行または列の放送予定番組の情報を更新する。【選択図】図１
2015106883.tif 000002
【特許請求の範囲】
【請求項１】
複数の放送予定番組の情報を含む電子番組ガイド情報が記録される情報記録装置と、
前記情報記録装置から各放送予定番組の情報を読み出し、放送チャンネルおよび放送時間帯の一方および他方を行方向および列方向として各放送予定番組の情報を表形式に配列して電子番組表を生成し、表示デバイスに該電子番組表を表示させる電子番組表制御部とを備え、
前記電子番組表制御部が、前記電子番組表の任意の行または列に関して前記情報記録装置から前記電子番組表の表示範囲外の放送予定番組の情報を読み出し、前記電子番組表において該行または該列をその他の部分とは独立にスクロールさせて該行または該列の放送予定番組の情報を更新する
ことを特徴とする放送受信装置。
【請求項２】
前記電子番組表に任意の放送予定番組の情報を選択するカーソルを重畳配置し、ユーザのカーソル操作に応じて前記電子番組表内で前記カーソルを移動させるカーソル制御部を備え、
前記電子番組表制御部が、前記カーソルを前記電子番組表の表示範囲外へと移動させるカーソル操作が行われたとき、前記カーソルを前記電子番組表の端に留めた状態で前記電子番組表において前記カーソルが重畳配置された行または列をスクロールさせる
ことを特徴とする請求項１に記載の放送受信装置。
【請求項３】
前記電子番組表制御部が、前記スクロールさせる行または列から別の行または列へ前記カーソルを移動させるカーソル操作が行われたとき、前記電子番組表を該行または該列をスクロールさせる前の状態に戻す
ことを特徴とする請求項１または請求項２に記載の放送受信装置。
【請求項４】
前記電子番組表制御部が、前記スクロールさせる行または列に対して所定の相対位置に、該行または該列と連動してスクロールする放送時間帯ルーラまたは放送チャンネルルーラをポップアップウィンドウにして前記電子番組表に重畳配置する
ことを特徴とする請求項１または請求項２に記載の放送受信装置。
【請求項５】
前記電子番組表制御部が、前記スクロールさせる行または列から別の行または列へ前記カーソルを移動させるカーソル操作が行われたとき、前記電子番組表を該行または該列をスクロールさせる前の状態に戻すとともに前記放送時間帯ルーラまたは前記放送チャンネルルーラを消去する
ことを特徴とする請求項４に記載の放送受信装置。
【請求項６】
前記電子番組表制御部が、ユーザのカーソル操作なしに前記放送時間帯ルーラおよび／または前記放送チャンネルルーラを前記電子番組表に重畳配置する
ことを特徴とする請求項４に記載の放送受信装置。
【請求項７】
前記電子番組表制御部が、前記スクロールさせる行または列をポップアップウィンドウにして前記電子番組表に重畳配置する
ことを特徴とする請求項１ないし請求項６のいずれかに記載の放送受信装置。
【発明の詳細な説明】
【技術分野】
【０００１】
本発明は、放送番組を受信する放送受信装置に関し、特に、電子番組表の表示を高速化する技術に関する。
【背景技術】
【０００２】
近年、テレビジョン放送のデジタル化が進み、各放送事業者から放送予定番組の情報（電子番組ガイド情報）が提供されるようになっている。そして、多くの放送受信装置は、そのような電子番組ガイド情報を受信して、放送予定番組の情報を電子番組表として画面に表示する機能を有している。ユーザは、電子番組表においてカーソルを移動させて任意の放送予定番組を選択して録画予約などを行うことができる。
【０００３】
電子番組ガイド情報には１週間先までの放送予定分の番組情報が含まれる。電子番組表においてすべての番組情報を一度に表示することができないため、通常は、数放送チャンネルの数時間分の放送予定番組の情報が表示される。ユーザは、まったく別の放送時間帯や放送チャンネルの番組情報を見たい場合、表示中の電子番組表から、目的の放送時間帯や放送チャンネルを含む電子番組表へ画面を切り替えることができる。また、ユーザは、電子番組表に表示されている放送時間帯や放送チャンネルの前後の番組情報を見たい場合、カーソル操作により電子番組表を縦方向や横方向にスクロールさせることができる（例えば、特許文献１を参照）。
【先行技術文献】
【特許文献】
【０００４】
【特許文献１】特開２００７−３６９６６号公報
【発明の概要】
【発明が解決しようとする課題】
【０００５】
従来の放送受信装置では、電子番組表をスクロールさせる場合、電子番組表全体の番組情報が更新される。このため、未表示の放送予定番組の情報の読み出しや電子番組表の描画処理に時間がかかり、ユーザがカーソル操作をしてから電子番組表がユーザの意図通りに更新されるまでのレスポンス性を悪化させている。ユーザは特定の放送チャンネルまたは放送時間帯の前後の番組情報を見たい場合もあり、そのような場合には電子番組表全体を更新する必要はないと考えられる。
【０００６】
上記問題に鑑み、本発明は、電子番組表を高速に表示更新することができる放送受信装置を提供することを目的とする。
【課題を解決するための手段】
【０００７】
本発明の一局面に従った放送受信装置は、複数の放送予定番組の情報を含む電子番組ガイド情報が記録される情報記録装置と、前記情報記録装置から各放送予定番組の情報を読み出し、放送チャンネルおよび放送時間帯の一方および他方を行方向および列方向として各放送予定番組の情報を表形式に配列して電子番組表を生成し、表示デバイスに該電子番組表を表示させる電子番組表制御部とを備え、前記電子番組表制御部が、前記電子番組表の任意の行または列に関して前記情報記録装置から前記電子番組表の表示範囲外の放送予定番組の情報を読み出し、前記電子番組表において該行または該列をその他の部分とは独立にスクロールさせて該行または該列の放送予定番組の情報を更新するものである。
【０００８】
これによると、電子番組表において任意の行または列が他の部分とは独立にスクロールされるため、電子番組表全体を更新する場合に比べて、未表示の放送予定番組の情報の読み出しおよび電子番組表の描画処理を素早く行うことができる。
【０００９】
上記の放送受信装置は、前記電子番組表に任意の放送予定番組の情報を選択するカーソルを重畳配置し、ユーザのカーソル操作に応じて前記電子番組表内で前記カーソルを移動させるカーソル制御部を備えていてもよく、前記電子番組表制御部が、前記カーソルを前記電子番組表の表示範囲外へと移動させるカーソル操作が行われたとき、前記カーソルを前記電子番組表の端に留めた状態で前記電子番組表において前記カーソルが重畳配置された行または列をスクロールさせるものであってもよい。
【００１０】
これによると、カーソルが電子番組表の端まで達してさらに先へ移動させるカーソル操作に応じて、電子番組表の行または列のスクロールを開始することができる。
【００１１】
前記電子番組表制御部が、前記スクロールさせる行または列から別の行または列へ前記カーソルを移動させるカーソル操作が行われたとき、前記電子番組表を該行または該列をスクロールさせる前の状態に戻してもよい。
【００１２】
これによると、電子番組表における行または列のスクロールを解除して電子番組表を元の状態に戻すことが容易になる。
【００１３】
前記電子番組表制御部が、前記スクロールさせる行または列に対して所定の相対位置に、該行または該列と連動してスクロールする放送時間帯ルーラまたは放送チャンネルルーラをポップアップウィンドウにして前記電子番組表に重畳配置してもよい。
【００１４】
これによると、スクロールさせる行または列の放送時間帯または放送チャンネルが別途ポップアップウィンドウのルーラとして表示され、ユーザの利便性を向上させることができる。
【００１５】
前記電子番組表制御部が、前記スクロールさせる行または列から別の行または列へ前記カーソルを移動させるカーソル操作が行われたとき、前記電子番組表を該行または該列をスクロールさせる前の状態に戻すとともに前記放送時間帯ルーラまたは前記放送チャンネルルーラを消去してもよい。
【００１６】
これによると、電子番組表における行または列のスクロールを解除して電子番組表を元の状態に戻すことが容易になる。
【００１７】
前記電子番組表制御部が、ユーザのカーソル操作なしに前記放送時間帯ルーラおよび／または前記放送チャンネルルーラを前記電子番組表に重畳配置してもよい。
【００１８】
これによると、電子番組表における行または列のスクロールを伴わずに電子番組表に放送時間帯ルーラおよび／または放送チャンネルルーラを表示することができるため、その後のカーソル操作でカーソルが電子番組表の表示範囲外へ移動するときに、電子番組表の全体をスクロールさせるのか行または列のみをスクロールさせるのかについての明示の指示なしにルーラが表示されている行または列のみをスクロールさせることができ、ユーザにとって、いずれをスクロールさせるのかを指示する手間が省ける。
【００１９】
前記電子番組表制御部が、前記スクロールさせる行または列をポップアップウィンドウにして前記電子番組表に重畳配置してもよい。
【００２０】
これによると、ポップアップウィンドウを消去するだけ電子番組表を元の状態に戻すことができ、電子番組表の表示更新を高速に行うことができる。
【発明の効果】
【００２１】
以上のように本発明によると、電子番組表の表示更新を素早く行うことができる。これにより、ユーザがカーソル操作をしてから電子番組表がユーザの意図通りに更新されるまでのレスポンス性を向上させることができる。
【図面の簡単な説明】
【００２２】
【図１】本発明の一実施形態に係る放送受信装置の概略構成図
【図２Ａ】表示デバイスに表示される電子番組表の一例を示す図
【図２Ｂ】図２Ａの電子番組表において列をスクロールさせる様子を示す図
【図２Ｃ】図２Ｂの電子番組表においてカーソルが別の列へ移動したときの様子を示す図
【図３Ａ】表示デバイスに表示される電子番組表の別例を示す図
【図３Ｂ】図３Ａの電子番組表において行をスクロールさせる様子を示す図
【図３Ｃ】図３Ｂの電子番組表においてカーソルが別の行へ移動したときの様子を示す図
【図４Ａ】図２Ａの電子番組表において放送時間帯ルーラを表示させたときの様子を示す図
【図４Ｂ】図３Ａの電子番組表において放送チャンネルルーラを表示させたときの様子を示す図
【図４Ｃ】図３Ａの電子番組表において放送時間帯ルーラと放送チャンネルルーラを表示させたときの様子を示す図
【図５】本発明の一実施形態に係る放送受信装置による電子番組表の制御フローを示すフローチャート
【発明を実施するための形態】
【００２３】
以下、図面を参照しながら本発明を実施するための形態について説明する。なお、本発明は、以下の実施形態に限定されるものではない。
【００２４】
図１は、本発明の一実施形態に係る放送受信装置１０の概略構成を示す。本実施形態に係る放送受信装置１０は、地上デジタル放送、ＢＳ／ＣＳデジタル放送、ケーブル放送などの放送番組や、インターネットなどのネットワークを通じて配信される番組（コンテンツ）を録画し、また、録画番組を再生する装置である。放送受信装置１０は、具体的には、ビデオレコーダー、テレビジョン受像機、セットトップボックス、放送受信機能を有するＰＣ、携帯端末などとして実現することができる。
【００２５】
放送受信装置１０は、受信処理部１１、コーデック１２、情報記録装置１３、ビデオ信号処理部１４、オーディオ信号処理部１５、および制御部１６を備えている。放送受信装置１０がテレビジョン受信機やＰＣなどで実現される場合、放送受信装置１０は、さらに、表示デバイス２００およびスピーカー３００を備えている。
【００２６】
受信処理部１１は、アンテナ１００から放送波を受信して、所望のチャンネルの放送信号を取得する。放送受信装置１０がネットワークに接続可能であれば、受信処理部１１は、図示しないネットワークカードを通じてインターネットなどからストリームデータを取得する。
【００２７】
受信処理部１１が受信した放送信号またはコンテンツには映像信号と音声信号が含まれ、さらにその他の信号（例えば、字幕データ信号や電子番組ガイド情報など）が含まれ得る。これら信号は、ＭＰＥＧ−２やＨ．２６４／ＭＰＥＧ−４  ＡＶＣなどの所定の符号化形式で圧縮符号化されている。コーデック１２は、受信処理部１１からそのような圧縮符号化された信号（ストリームデータ）を受けて分離およびデコードを行い、映像信号と音声信号を出力する。
【００２８】
情報記録装置１３は、番組を記録する装置である。情報記録装置１３は、例えば、ＨＤＤ（Hard Disk Drive）や、ブルーレイ（登録商標）などの光ディスク装置などで構成することができる。番組は、映像信号、音声信号、およびその他の信号（例えば、字幕データ信号など）などからなるデータである。情報記録装置１３においてこれら信号が所定の方式で圧縮符号化されて記録されている。コーデック１２は、受信処理部１１から受けたストリームデータをそのまま、または、ストリームデータをデコードしてさらに別の符号化形式で再エンコードして情報記録装置１３に記録する。
【００２９】
なお、情報記録装置１１には、ＥＰＧ（Electronic Program Guide）あるいはＩＰＧ（Interactive Program Guide）などと呼ばれる電子番組ガイド情報も記録される。電子番組ガイド情報は、１週間先までの放送予定分の番組（放送予定番組）の情報を含む。
【００３０】
映像信号処理部１４は、コーデック１２から映像信号を受けて、それをデジタル／アナログ変換して表示デバイス２００に出力する。表示デバイス２００は、例えば、液晶表示装置や有機ＥＬ表示装置などのフラットディスプレイパネルである。音声信号処理部１５は、コーデック１２から音声信号を受けて、それをデジタル／アナログ変換してスピーカー３００に出力する。
【００３１】
制御部１６は、受信処理部１１、コーデック１２、情報記録装置１３、映像信号処理装置１４、および音声信号処理装置１５の各構成要素の動作を制御する。制御部１６は、例えば、ＣＰＵ（Central Processing Unit）で実現することができる。ＣＰＵで構成された制御部１６は、図示しないＲＯＭやフラッシュメモリに格納されたプログラムを実行して上記各構成要素の動作を制御する。
【００３２】
制御部１６は、電子番組表制御部１６２およびカーソル制御部１６４を備えており、電子番組表の生成およびその表示制御を行う。電子番組表制御部１６２は、情報記録装置１３から各放送予定番組の情報を読み出し、電子番組表を生成して表示デバイス２００に電子番組表を表示させる。カーソル制御部１６４は、電子番組表に任意の放送予定番組の情報を選択するカーソルを重畳配置し、ユーザのカーソル操作に応じて電子番組表内で前記カーソルを移動させる。
【００３３】
図２Ａおよび図３Ａは、表示デバイス２００に表示される電子番組表２０１の例を示す。例えば、電子番組表２０１は、放送チャンネルすなわち放送局を横軸すなわち行方向とし、放送時間帯を縦軸すなわち列方向として、各放送予定番組の情報を表形式に配列して構成される。電子番組表２０１には、任意の放送予定番組の情報を選択するカーソル２０２が重畳配置されている。例えば、図２Ａの電子番組表２０１では放送局Ｃで午後３時３０分から放送される番組Ｃ７が、図３Ａの電子番組表２０１では放送局Ｆで午前１２時００分から放送される番組Ｆ３が、それぞれ、カーソル２０２によって選択されている。放送局を列方向とし、放送時間帯を行方向として、各放送予定番組の情報を表形式に配列した電子番組表も可能であるが、以下では便宜上、図２Ａおよび図３Ａをタイプの電子番組表を例に説明する。
【００３４】
電子番組表制御部１６２は、電子番組表２０１の任意の列に関して情報記録装置１３から電子番組表２０１の表示範囲外の放送予定番組の情報を読み出し、電子番組表２０１においてその列をその他の部分とは独立にスクロールさせてその列の放送予定番組の情報を更新する。より詳細には、電子番組表制御部１６２は、カーソル２０２を電子番組表２０１の表示範囲外へと移動させるカーソル操作が行われたとき、カーソル２０２を電子番組表２０１の端に留めた状態で電子番組表２０１においてカーソル２０２が重畳配置された列をスクロールさせる。一方、カーソル２０２の移動が電子番組表２０１の表示範囲内であれば、電子番組表制御部１６２が列をスクロールさせることはなく、カーソル制御部１６４が電子番組表２０１の表示範囲内でカーソル２０２を移動させるのみである。
【００３５】
図２Ｂは、図２Ａの電子番組表２０１において列２０３をスクロールさせる様子を示す。例えば、図２Ａの例ではカーソル２０２は電子番組表２０１の下端にある。この状態からユーザが放送局Ｃの次の時間帯の番組情報を見ようとしてカーソル２０２を下へ移動させる操作をしたとき、電子番組表制御部１６２は、情報記録装置１３から午後４時以降に放送局Ｃで放送される番組の情報を読み出し、電子番組表２０１において放送局Ｃの列２０３のみ縦方向にスクロールさせる。このとき、放送局Ｃの列２０３の放送時間帯とそれ以外の放送局の放送時間帯がずれるため、電子番組表制御部１６２は、スクロールさせる列２０３に対して所定の相対位置、例えば、その列２０３の左に放送時間帯ルーラ２０４を配置する。すなわち、放送時間帯ルーラ２０４は、放送局Ｃの列２０３に含まれる番組情報の放送時間帯を表すポップアップウィンドウであり、放送局Ｃの列２０３の表示に連動して縦方向にスクロールする。
【００３６】
電子番組表制御部１６２は、スクロールさせる列２０３から別の列へとカーソル２０２を移動させるカーソル操作が行われたとき、電子番組表２０１を元の状態、すなわち、その列２０３をスクロールさせる前の状態に戻す。それとともに、電子番組表制御部１６２は、放送時間帯ルーラ２０４を消去する。
【００３７】
図２Ｃは、図２Ｂの電子番組表２０１においてカーソル２０２が別の列へ移動したときの様子を示す。例えば、図２Ｂの状態からカーソル２０２を放送局Ｄへ移動させるカーソル操作が行われたとき、電子番組表制御部１６２は、電子番組表２０１を元の状態、すなわち、放送局チャンネルが放送局Ａ〜放送局Ｆまで、かつ、放送時間帯が午前１０時から午後３時までの表示範囲に戻す。そして、カーソル制御部１６４は、元の状態に戻った電子番組表２０１においてカーソル２０２を放送局Ｄで午後３時から放送される番組Ｄ６へと移動させる。
【００３８】
なお、電子番組表制御部１６２は、スクロールさせる列２０３をポップアップウィンドウにして電子番組表２０１に重畳配置してもよい。こうすることで、ポップアップウィンドウとして電子番組表２０１に重畳配置されている放送時間帯ルーラ２０４およびスクロールさせる列２０３を消去するだけで電子番組表２０１を元の状態に戻すことができ、電子番組表２０１の表示更新を高速に行うことができる。
【００３９】
電子番組表制御部１６２は、電子番組表２０１において任意の行をその他の部分とは独立にスクロールさせることもできる。すなわち、電子番組表制御部１６２は、電子番組表２０１の任意の行に関して情報記録装置１３から電子番組表２０１の表示範囲外の放送予定番組の情報を読み出し、電子番組表２０１においてその行をその他の部分とは独立にスクロールさせてその行の放送予定番組の情報を更新する。より詳細には、電子番組表制御部１６２は、カーソル２０２を電子番組表２０１の表示範囲外へと移動させるカーソル操作が行われたとき、カーソル２０２を電子番組表２０１の端に留めた状態で電子番組表２０１においてカーソル２０２が重畳配置された行をスクロールさせる。一方、カーソル２０２の移動が電子番組表２０１の表示範囲内であれば、電子番組表制御部１６２が行をスクロールさせることはなく、カーソル制御部１６４が電子番組表２０１の表示範囲内でカーソル２０２を移動させるのみである。
【００４０】
図３Ｂは、図３Ａの電子番組表２０１において行２０５をスクロールさせる様子を示す。例えば、図３Ａの例ではカーソル２０２は電子番組表２０１の右端にある。この状態からユーザが放送時間帯が午前１２時の次の放送チャンネルの番組情報を見ようとしてカーソル２０２を右へ移動させる操作をしたとき、電子番組表制御部１６２は、情報記録装置１３から放送局Ｇで午前１２時から放送される番組の情報を読み出し、電子番組表２０１において放送時間帯が午前１２時の行２０５のみ横方向にスクロールさせる。このとき、放送時間帯が午前１２時の行２０５の放送チャンネルとそれ以外の放送時間帯の放送チャンネルがずれるため、電子番組表制御部１６２は、スクロールさせる行２０５に対して所定の相対位置、例えば、その行２０５の上に放送チャンネルルーラ２０６を配置する。すなわち、放送チャンネルルーラ２０６は、放送時間帯が午前１２時の行２０５に含まれる番組情報の放送チャンネルを表すポップアップウィンドウであり、放送時間帯が午前１２時の行２０５の表示に連動して横方向にスクロールする。
【００４１】
なお、スクロールさせる行２０５の高さ、すなわち、時間幅は、行２０５をスクロールさせる直前にカーソル２０２が選択している番組の放送時間長に合わせてもよいし、その放送時間長にかかわらず、１時間幅などの所定の時間幅に固定してもよい。
【００４２】
電子番組表制御部１６２は、スクロールさせる行２０５から別の行へとカーソル２０２を移動させるカーソル操作が行われたとき、電子番組表２０１を元の状態、すなわち、その行２０５をスクロールさせる前の状態に戻す。それとともに、電子番組表制御部１６２は、放送チャンネルルーラ２０６を消去する。
【００４３】
図３Ｃは、図３Ｂの電子番組表２０１においてカーソル２０２が別の行へ移動したときの様子を示す。例えば、図３Ｂの状態からカーソル２０２を午前１１時の放送時間帯へ移動させるカーソル操作が行われたとき、電子番組表制御部１６２は、電子番組表２０１を元の状態、すなわち、放送チャンネルが放送局Ａ〜放送局Ｆまで、かつ、放送時間帯が午前１０時から午後３時までの表示範囲に戻す。そして、カーソル制御部１６４は、元の状態に戻った電子番組表２０１においてカーソル２０２を放送局Ｆで午前１１時から放送される番組Ｆ２へと移動させる。
【００４４】
なお、電子番組表制御部１６２は、スクロールさせる行２０５をポップアップウィンドウにして電子番組表２０１に重畳配置してもよい。こうすることで、ポップアップウィンドウとして電子番組表２０１に重畳配置されている放送チャンネルルーラ２０６およびスクロールさせる行２０５を消去するだけで電子番組表２０１を元の状態に戻すことができ、電子番組表２０１の表示更新を高速に行うことができる。
【００４５】
電子番組表制御部１６２は、カーソル２０２を移動させない所定の操作が行われたとき、例えば、リモコンのカラーボタンが押下されたとき、電子番組表２０１の行または列のスクロールを伴わずに放送チャンネルルーラ２０６または放送時間帯ルーラ２０４を表示させてもよい。図４Ａは、図２Ａの電子番組表２０１において放送時間帯ルーラ２０４を表示させたときの様子を示す。例えば、電子番組表２０１においてカーソル２０２が番組Ｄ３を選択している場合において、リモコンのカラーボタン（例えば、赤ボタン）が押下されたとき、電子番組表制御部１６２は、電子番組表２０１に放送時間帯ルーラ２０４を表示させてもよい。図４Ａの状態からカーソル２０２を上下へ移動させると、列２０３内でカーソル２０２が上下へ移動するのみである。そして、列２０３の上端または下端からさらに先へカーソル２０２を移動させるカーソル操作が行われると、電子番組表制御部１６２は、列２０３をスクロールさせる。一方、図４Ａの状態からカーソル２０２を左右へ移動させる場合、電子番組表制御部１６２は、放送時間帯ルーラ２０４を消去してカーソル２０２を左右へ移動させてもよいし、放送時間帯ルーラ２０４を伴ってカーソル２０２を左右へ移動させてもよい。
【００４６】
図４Ｂは、図２Ａの電子番組表２０１において放送チャンネルルーラ２０６を表示させたときの様子を示す。例えば、電子番組表２０１においてカーソル２０２が番組Ｄ３を選択している場合において、リモコンのカラーボタン（例えば、青ボタン）が押下されたとき、電子番組表制御部１６２は、電子番組表２０１に放送チャンネルルーラ２０６を表示させてもよい。図４Ｂの状態からカーソル２０２を左右へ移動させると、行２０５内でカーソル２０２が左右へ移動するのみである。そして、行２０５の右端または左端からさらに先へカーソル２０２を移動させるカーソル操作が行われると、電子番組表制御部１６２は、行２０５をスクロールさせる。一方、図４Ｂの状態からカーソル２０２を上下へ移動させる場合、電子番組表制御部１６２は、放送チャンネルルーラ２０６を消去してカーソル２０２を上下へ移動させてもよいし、放送チャンネルルーラ２０６を伴ってカーソル２０２を上下へ移動させてもよい。
【００４７】
図４Ｃは、図２Ａの電子番組表２０１において放送時間帯ルーラ２０４および放送チャンネルルーラ２０６の双方を表示させたときの様子を示す。例えば、電子番組表２０１においてカーソル２０２が番組Ｄ３を選択している場合において、リモコンのカラーボタン（例えば、黄ボタン）が押下されたとき、電子番組表制御部１６２は、電子番組表２０１に放送時間帯ルーラ２０４と放送チャンネルルーラ２０６を表示させてもよい。図４Ｃの状態からカーソル２０２を上下へ移動させると、列２０３内でカーソル２０２が上下へ移動し、カーソル２０２を左右へ移動させると、行２０５内でカーソル２０２が左右へ移動するのみである。そして、列２０３の上端または下端、または、行２０５の右端または左端からさらに先へカーソル２０２を移動させるカーソル操作が行われると、電子番組表制御部１６２は、列２０３または行２０５をスクロールさせる。一方、図４Ｃの状態からカーソル２０２を上下へ移動させる場合、電子番組表制御部１６２は、放送チャンネルルーラ２０６を消去して放送時間帯ルーラ２０４のみを残してカーソル２０２を上下へ移動させてもよい。また、図４Ｃの状態からカーソル２０２を左右へ移動させる場合、電子番組表制御部１６２は、放送時間帯ルーラ２０４を消去して放送チャンネルルーラ２０６のみを残してカーソル２０２を左右へ移動させてもよい。また、電子番組表制御部１６２は、放送時間帯ルーラ２０４および放送チャンネルルーラ２０６を伴ってカーソル２０２を上下左右へ移動させてもよい。
【００４８】
上記のように、電子番組表２０１における行２０５または列２０３のスクロールを伴わずに電子番組表２０１に放送時間帯ルーラ２０４および／または放送チャンネルルーラ２０６を表示することで、その後のカーソル操作でカーソル２０２が電子番組表２０１の表示範囲外へ移動するときに、電子番組表２０１の全体をスクロールさせるのか行２０５または列２０３のみをスクロールさせるのかについての明示の指示なしに、ルーラ２０２が表示されている行２０５または列２０３のみをスクロールさせることができる。これにより、いずれをスクロールさせるのかを指示する手間が省ける。
【００４９】
次に、本実施形態に係る放送受信装置１０による電子番組表２０１の表示制御について説明する。図５は、本実施形態に係る放送受信装置１０による電子番組表２０１の制御フローを示す。
【００５０】
電子番組表２０１が表示デバイス２００に表示されている状態において、カーソル制御部１６４は、ユーザのリモコン操作を待つ（Ｓ１）。そして、ユーザによってカーソル操作が行われ、それが電子番組表２０１の表示範囲外へと移動させるカーソル操作であった場合（Ｓ２でＹＥＳ）、電子番組表制御部１６２は、情報記録装置１３からその表示範囲外の放送予定番組の情報を読み出す（Ｓ３）。
【００５１】
電子番組表制御部１６２は、放送時間帯ルーラ２０４または放送チャンネルルーラ２０６がすでに電子番組表２０１に重畳配置されているかを確認し、配置されていなければ（Ｓ４でＮＯ）、放送時間帯ルーラ２０４または放送チャンネルルーラ２０６を電子番組表２０１に重畳配置する（Ｓ５）。ステップＳ５で放送時間帯ルーラ２０４または放送チャンネルルーラ２０６を電子番組表２０１に重畳配置した後、または、電子番組表２０１にすでに放送時間帯ルーラ２０４または放送チャンネルルーラ２０６が重畳配置されていた場合（Ｓ４でＹＥＳ）、電子番組表制御部１６２は、ユーザのカーソル操作に従って、電子番組表２０１においてカーソル２０２が重畳配置された行または列をおよびスクロールさせる（Ｓ６）。
【００５２】
ユーザのカーソル操作が電子番組表２０１の表示範囲外へと移動させるカーソル操作でなかった場合（Ｓ２でＮＯ）、電子番組表制御部１６２は、電子番組表２０１に放送時間帯ルーラ２０４または放送チャンネルルーラ２０６が重畳配置されているかを確認し、配置されていれば（Ｓ７でＹＥＳ）、そのカーソル操作がスクロールさせる行または列から別の行または列へとカーソルを移動させる操作であるかを確認し、別の行または列へとカーソルを移動させる操作であれば（Ｓ８でＹＥＳ）、電子番組表２０１に重畳配置されている放送時間帯ルーラ２０４または放送チャンネルルーラ２０６を消去して電子番組表２０１を元の状態に戻す（Ｓ９）。ステップＳ９で電子番組表２０１を元の状態に戻した後、または、電子番組表２０１に放送時間帯ルーラ２０４または放送チャンネルルーラ２０６が重畳配置されていない場合（Ｓ７でＮＯ）、または、ユーザのカーソル操作が電子番組表２０１の表示範囲外へと移動させるカーソル操作でなかった場合（Ｓ８でＮＯ）、カーソル操作部１６４は、ユーザのカーソル操作に従って、電子番組表２０１においてカーソル２０２を移動させる（Ｓ１０）。
【００５３】
ステップＳ１においてユーザのリモコン操作がルーラを表示する操作であった場合、電子番組表制御部１６２は、例えば、赤ボタンが押下されたならば放送時間帯ルーラ２０４を、青ボタンが押下されたならば放送チャンネルルーラ２０６を、電子番組表２０１に重畳配置する（Ｓ１１）。
【００５４】
以上のように本実施形態によると、電子番組表２０１において行または列のみをスクロールさせるため、電子番組表２０１の表示更新を素早く行うことができる。これにより、ユーザがカーソル操作をしてから電子番組表２０１がユーザの意図通りに更新されるまでのレスポンス性を向上させることができる。
【００５５】
なお、カーソル２０２を電子番組表２０１の表示範囲外へと移動させるカーソル操作によって電子番組表２０１の全体をスクロールさせるのか、それともカーソル２０２が重畳配置された行または列のみをスクロールさせるのかがわかるようにするために、それぞれの場合のカーソル操作に固有のボタン操作を対応付ければよい。例えば、リモコンのカラーボタンが操作されたときに、カーソル２０２が重畳配置された行または列をスクロールさせるようにすることができる。
【００５６】
また、スクロールさせる行または列以外の部分は表示輝度を落として暗く表示して、スクロールさせる行または列を際立たせて表示するようにしてもよい。
【符号の説明】
【００５７】
１０    放送受信装置
１６２  電子番組表制御部
１６４  カーソル制御部
２００  表示デバイス
２０１  電子番組表
２０２  カーソル
２０４  放送時間帯ルーラ
２０６  放送チャンネルルーラ
【図１】
2015106883.tif 000003
【図２Ａ】
2015106883.tif 000004
【図２Ｂ】
2015106883.tif 000005
【図２Ｃ】
2015106883.tif 000006
【図３Ａ】
2015106883.tif 000007
【図３Ｂ】
2015106883.tif 000008
【図３Ｃ】
2015106883.tif 000009
【図４Ａ】
2015106883.tif 000010
【図４Ｂ】
2015106883.tif 000011
【図４Ｃ】
2015106883.tif 000012
【図５】
2015106883.tif 000013